(57)【要約】【課題】長さを調節した専用の線材を用いずとも線材を所定の経路に配線し固定でき、さらに、コンパクトで汎用性の高い線材固定具を提供する。【解決手段】ケーブルが長くとも、電気機器内のシャーシの任意の位置に固定された本体にケーブルを巻回することでケーブルの長さを調節でき、そして、押え片１３によって巻回状態に保持されるため、長さが調節された専用のケーブルでなくともケーブルにたるみを生じさせずに、電気機器内の所定の経路にケーブルを配線し固定できる。また、ケーブルを本体に巻回してケーブルの長さを調節することで、シャーシの任意の位置に固定した線材固定具１によりケーブルを所定の経路に配線でき、電気機器ごとに専用の線材固定具１を設計する必要がないため非常に汎用性が高く、さらに、従来の構成に比べ非常にコンパクトな構成とすることができる。【選択図】図２
2008245459.tif 000002
【特許請求の範囲】
【請求項１】
電気機器内で配線される線材を固定する線材固定具において、
前記線材が巻回される略柱状の固定具本体と、
前記本体に設けられ該本体を前記電気機器内のシャーシに固定する固定手段と、
前記本体に設けられ、前記本体に巻回された前記線材を巻回状態に保持する保持手段と
を備えることを特徴とする線材固定具。
【請求項２】
前記保持手段は、
一端部が前記本体の一端部に回動自在に取着され前記線材を押える押え片と、
該押え片の他端部に形成された係止部と、
前記本体の他端部に形成され前記係止部が係脱自在に係止する被係止部と
を備えていることを特徴とする請求項１に記載の線材固定具。
【請求項３】
前記固定手段は、
前記本体に突設されて前記シャーシに形成された取付穴に挿入される挿入突起と、
前記挿入突起の先端に形成され前記取付穴に挿入された前記挿入突起の抜けを阻止する阻止部と、
前記本体または前記挿入突起に形成され、前記挿入突起が前記取付穴に挿入された状態で前記取付穴周辺の前記シャーシに圧接されて前記挿入突起を前記本体とともに抜け方向に付勢する付勢部と
を備えていることを特徴とする請求項１または２に記載の線材固定具。
【請求項４】
前記挿入突起が樹脂であり、前記阻止部は、
前記挿入突起を前記取付穴に挿入する際には弾性変形して収縮し、挿入完了後には前記取付穴周辺の前記シャーシに係合して前記挿入突起の抜けを阻止すべく、矢尻状に前記挿入突起に一体形成されていることを特徴とする請求項３に記載の線材固定具。
【請求項５】
前記付勢部は、
前記本体または前記挿入突起に一体形成されていることを特徴とする請求項３または４に記載の線材固定具。
【請求項６】
前記固定手段は、前記本体の上下面の一方に形成されていることを特徴とする請求項１ないし５のいずれかに記載の線材固定具。
【請求項７】
前記本体が樹脂であり、
前記押え片は、前記本体の上下面の一方に一体的に形成され、
前記係止部は、前記押え片に一体的に形成され、
前記被係止部は、前記本体の上下面の他方に一体的に形成されていることを特徴とする２ないし６のいずれかに記載の線材固定具。
【請求項８】
前記本体が樹脂であり、
前記押え片は、前記本体の上下面の他方に一体的に形成され、
前記係止部は、前記押え片に一体的に形成され、
前記被係止部は、前記本体の上下面の一方であって前記挿入突起が前記取付穴に挿入された状態における前記シャーシ上面より上方位置に形成されていることを特徴とする請求項２ないし６のいずれかに記載の線材固定具。
【請求項９】
前記本体の周面に貫設された前記線材の挿通用の挿通開口を備え、
前記本体における前記挿通開口の上側または下側のいずれか一方側が、前記挿通開口の上部または下部を開閉自在に閉塞する蓋状に形成されていることを特徴とする請求項１ないし８のいずれかに記載の線材固定具。
【請求項１０】
前記蓋状に形成された前記本体の一方側は、ヒンジ部を介して回動自在に形成され、ロック手段により閉塞状態に保持されるものであるであることを特徴とする請求項９に記載の線材固定具。
【請求項１１】
前記本体に設けられ前記本体に巻回された前記線材の余剰部分を引掛ける把持部をさらに備えることを特徴とする請求項１ないし１０のいずれかに記載の線材固定具。
【発明の詳細な説明】
【技術分野】
【０００１】
本発明は、電気機器内で配線される線材を固定する線材固定具に関する。
【背景技術】
【０００２】
従来、電気機器内に線材を配線し固定する際に、電気機器内に配設されたシャーシに線材固定具を取り付けて該線材固定具で線材を電気機器内の所定の経路を通るように固定保持することで、電気機器内において、線材がかさばったり、線材と電子部品が実装された基板等とが接触することにより電気的な干渉が発生して電気機器の動作に悪影響が生じるのが防止されている（例えば、特許文献１参照）。
【０００３】
特許文献１に記載の線材固定具では、基部に複数個の線材保持部が設けられた線材固定具を、該基部に突設された挿入突起をシャーシに形成された取付穴に挿入することでシャーシに取り付けている。このような構成として、複数個の線材固定具をシャーシに取り付ける取付作業時間の削減、線材固定具を固定するためのシャーシの加工費の低減、線材を所定の経路に固定保持するために必要な線材固定具の数の削減を図り、電気機器を製造する製造コストの低コスト化を図っている。
【０００４】
【特許文献１】特開２００６−３１３８０７号公報（要約書、段落［００１０］、［００１３］、［００２２］、図１）
【発明の開示】
【発明が解決しようとする課題】
【０００５】
しかしながら、上記した特許文献１に記載の線材固定具では、複数の線材保持部を基部に配設できるように該基部を大型化しなければならず、その結果、線材固定具が大型化するという問題があった。また、１つの基部に複数の線材保持部を設けて線材を所定の経路に固定保持するという構成上、電気機器内での線材の配線態様に応じて線材固定具を設計しなければならず、当該線材固定具の電気機器内での適用範囲が限定され汎用性が低かった。また、同様に、電気機器の種類ごとに該機器内に配設可能に専用の線材固定具を設計しなければならず、部品管理が煩雑になるという問題もあった。
【０００６】
また、線材がたるむのを防止するため電気機器ごとに長さを調節した専用の線材を用いなければならず、線材が長い場合には、ハーネスクリップや結束バンド等の線材固定具を別途シャーシに取り付けて線材の余剰部分を結束する必要があり、電気機器の組立作業の能率が低下するとともに、別途必要なハーネスクリップや結束バンドの分、電気機器の製造コストが増大する。
【０００７】
本発明は、長さを調節した専用の線材を用いずとも線材を所定の経路に配線し固定でき、さらに、コンパクトで汎用性の高い線材固定具を提供することを目的とする。
【課題を解決するための手段】
【０００８】
上記の目的を達成するために、本発明の線材固定具は、電気機器内で配線される線材を固定する線材固定具において、前記線材が巻回される略柱状の固定具本体と、前記本体に設けられ該本体を前記電気機器内のシャーシに固定する固定手段と、前記本体に設けられ、前記本体に巻回された前記線材を巻回状態に保持する保持手段とを備えることを特徴としている（請求項１）。
【０００９】
又、本発明の線材固定具は、前記保持手段は、一端部が前記本体の一端部に回動自在に取着され前記線材を押える押え片と、該押え片の他端部に形成された係止部と、前記本体の他端部に形成され前記係止部が係脱自在に係止する被係止部とを備えていることを特徴としている（請求項２）。
【００１０】
更に、本発明の線材固定具は、前記固定手段は、前記本体に突設されて前記シャーシに形成された取付穴に挿入される挿入突起と、前記挿入突起の先端に形成され前記取付穴に挿入された前記挿入突起の抜けを阻止する阻止部と、前記本体または前記挿入突起に形成され、前記挿入突起が前記取付穴に挿入された状態で前記取付穴周辺の前記シャーシに圧接されて前記挿入突起を前記本体とともに抜け方向に付勢する付勢部とを備えていることを特徴としている（請求項３）。
【００１１】
又、本発明の線材固定具は、前記挿入突起が樹脂であり、前記阻止部は、前記挿入突起を前記取付穴に挿入する際には弾性変形して収縮し、挿入完了後には前記取付穴周辺の前記シャーシに係合して前記挿入突起の抜けを阻止すべく、矢尻状に前記挿入突起に一体形成されていることを特徴としている（請求項４）。
【００１２】
更に、本発明の線材固定具は、前記付勢部は、前記本体または前記挿入突起に一体形成されていることを特徴としている（請求項５）。
【００１３】
加えて、本発明の線材固定具は、前記固定手段は、前記本体の上下面の一方に形成されていることを特徴としている（請求項６）。
【００１４】
又、本発明の線材固定具は、前記本体が樹脂であり、前記押え片は、前記本体の上下面の一方に一体的に形成され、前記係止部は、前記押え片に一体的に形成され、前記被係止部は、前記本体の上下面の他方に一体的に形成されていることを特徴としている（請求項７）。
【００１５】
又、本発明の線材固定具は、前記本体が樹脂であり、前記押え片は、前記本体の上下面の他方に一体的に形成され、前記係止部は、前記押え片に一体的に形成され、前記被係止部は、前記本体の上下面の一方であって前記挿入突起が前記取付穴に挿入された状態における前記シャーシ上面より上方位置に形成されていることを特徴としている（請求項８）。
【００１６】
又、本発明の線材固定具は、前記本体の周面に貫設された前記線材の挿通用の挿通開口を備え、前記本体における前記挿通開口の上側または下側のいずれか一方側が、前記挿通開口の上部または下部を開閉自在に閉塞する蓋状に形成されていることを特徴としている（請求項９）。
【００１７】
又、本発明の線材固定具は、前記蓋状に形成された前記本体の一方側は、ヒンジ部を介して回動自在に形成され、ロック手段により閉塞状態に保持されるものであるであることを特徴としている（請求項１０）。
【００１８】
そして、本発明の線材固定具は、前記本体に設けられ前記本体に巻回された前記線材の余剰部分を引掛ける把持部をさらに備えることを特徴としている（請求項１１）。
【発明の効果】
【００１９】
請求項１の発明によれば、線材が長くとも、電気機器内のシャーシの任意の位置に固定手段により固定された固定具本体に線材を巻回することで該線材の長さを調節でき、そして、本体に巻回された線材は保持手段によって巻回状態に保持される。したがって、長さが調節された専用の線材でなくとも線材にたるみを生じさせずに、電気機器内の所定の経路に線材を配線し固定でき、ハーネスクリップや結束バンド等を別途シャーシに取り付ける必要がないため、電気機器の組立作業の能率を低下させることがない。
【００２０】
また、線材を固定具本体に巻回して該線材の長さを調節することで、シャーシの任意の位置に固定した線材固定具により線材を所定の経路に配線でき、電気機器ごとに専用の線材固定具を設計する必要がないため非常に汎用性が高く、さらに、従来の構成に比べ非常にコンパクトな構成とすることができる。
【００２１】
また、請求項２の発明によれば、本体の一端部に回動自在に取着された押え片に形成された係止部と、本体の他端部に形成された被係止部とが係止して、当該押え片により本体に巻回された線材を押えることで該線材の本体への巻回状態を確実に保持できる。
【００２２】
また、請求項３の発明によれば、本体に突設された挿入突起がシャーシに形成された取付穴に挿入された状態で、付勢部が挿入状態の挿入突起を本体とともに抜け方向に付勢しつつ挿入突起の抜けが阻止部により阻止されているため、本体を確実に取付穴に固定できるとともに、該本体のシャーシへの取付状態を安定させることができる。
【００２３】
また、請求項４の発明によれば、樹脂で形成された挿入突起に阻止部が矢尻状に一体形成され、挿入突起が取付穴に挿入される際には阻止部が弾性変形して収縮し、挿入完了後には阻止部が復元して取付穴周辺のシャーシに係合し当該挿入突起の抜けを阻止するため、実用的な構成で挿入突起の取付穴からの抜けを阻止できる。
【００２４】
また、請求項５の発明によれば、本体または挿入突起に付勢部が一体形成されているため、より実用的である。
【００２５】
また、請求項６の発明によれば、本体の上下面の一方に固定手段が形成されているため、より実用的である。
【００２６】
また、請求項７の発明によれば、押え片の一端部が樹脂製の本体の上下面の一方に一体的に形成され、押え片の他端部に一体的に形成された係止部が、本体の上下面の他方に一体的に形成された被係止部に係止することで、本体に巻回された線材を確実に押えて該線材の巻回状態を保持できる。
【００２７】
また、請求項８の発明によれば、押え片の一端部が樹脂製の本体の上下面の他方に一体的に形成され、押え片の他端部に一体的に形成された係止部が、本体の上下面の一方であって挿入突起が取付穴に挿入された状態におけるシャーシ上面よりも上方位置に形成された被係止部に係止することで、本体に巻回された線材を確実に押えて該線材を巻回状態に保持できる。
【００２８】
また、請求項９の発明によれば、線材の挿通用の挿通開口が本体の周面に貫設され、当該挿通開口の上側または下側のいずれか一方側が、挿通開口の上部または下部を開閉自在に閉塞する蓋状に形成されているため、当該挿通開口の上部または下部を開放することで、線材が束になっていたり、線材の端部にコネクタが接続されていても、当該線材を挿通開口へ容易に挿通でき、電気機器内における線材の配線作業の作業性の向上を図ることができる。
【００２９】
また、一度、挿通開口に線材を通した後に該線材を本体に巻回することで、巻回状態の線材がほどけるのを効果的に防止できる。また、長さが調節された専用の線材を用いる場合には、該線材を本体に巻回しなくとも、挿通開口に線材を挿通することで該線材が電気機器内の所定の経路を通るように使用することもでき、より汎用性を高めることができる。
【００３０】
また、請求項１０の発明によれば、蓋状に形成された本体の一方側をヒンジ部を介して回動自在に形成し、ロック手段により閉塞状態に保持されるように構成されているため、実用的である。
【００３１】
また、請求項１１の発明によれば、本体に巻回された線材の余剰部分を把持部に引掛けることができるため、より確実に線材の本体への巻回状態を保持できる。
【発明を実施するための最良の形態】
【００３２】
つぎに、本発明をより詳細に説明するため、その一実施形態について、図１〜図７にしたがって詳述する。なお、本発明に係る線材固定具が実装される具体的な製品として、ＤＶＤ（デジタル・バーサタイル・デイスク）の再生装置（ＤＶＤプレーヤ）や記録再生装置（ＤＶＤレコーダ）、あるいは、これらの装置とＶＣＲ（ビデオカセットレコーダ）やカセットテープレコーダ、ＨＤＤ（ハード・ディスク・ドライブ）等とを組み合わせた複合型の映像音響装置のようなディスク装置、テレビ等の電気機器がある。なお、電気機器としては上記したものに限定されず、種々の電気機器に本発明に係る線材固定具１を採用することができる。
【００３３】
図１は線材固定具１がシャーシ２に取り付けられた状態の一例を示す斜視図である。また、図２は線材固定具１を示す斜視図である。また、図３は線材固定具１を示す図であり、（ａ）は平面図、（ｂ）は正面図、（ｃ）は右側面図である。また、図４は線材固定具１をシャーシ２に取り付ける方法を示す図であり、（ａ）は線材固定具１をシャーシに２に取り付ける前の状態を示す図、（ｂ）は線材固定具１をシャーシ２に取り付けた状態を示す図である。また、図５は線材固定具１の使用方法の一例を示す図であり、（ａ）は挿通開口１１が閉塞された状態を示す図、（ｂ）は挿通開口１１が開放された状態を示す図である。また、図６は線材固定具１の使用方法の一例を示す図であり、（ａ）は押え片１３の係止部１３ａが被係止部１３ｂと係止していない状態を示す図、（ｂ）は押え片１３の係止部１３ａが被係支部１３ｂと係止している状態を示す図である。また、図７は線材固定具１に線材ＣＡが巻回された状態を示す斜視図であり、（ａ）は線材ＣＡが線材固定具１の本体１０に巻回された状態を示す図、（ｂ）は線材ＣＡが線材固定具１に貫設された挿通開口１１に挿通されて本体１０に巻回された状態を示す図、（ｃ）は線材ＣＡが把持部１２に引掛けられた状態を示す図である。
【００３４】
図１に示すように、本実施形態の線材固定具１は図示省略した電気機器内に配設されたシャーシ２に形成された取付穴２０に取り付けられている。そして、シャーシ２に配設されたプリント基板３ａ，３ｂどうしを電気的に接続する電気機器内で配線されたケーブル（本発明の「線材」に相当）ＣＡが所定の経路を通るように該ケーブルＣＡを固定保持するように構成されている。以下、線材固定具１について詳細に説明する。
【００３５】
図２に示すように、線材固定具１は、ケーブルＣＡが巻回される略円柱状の樹脂製の固定具本体１０と、本体１０の下面１８に一体的に突設されてシャーシ２に形成された取付穴２０に挿入される挿入突起１４と、本体１０の上面１７に一体的に一端部が回動自在に取着されてケーブルＣＡを押える押え片１３とを備えている。また、本体１０の周面にはケーブルＣＡの挿通用の挿通開口１１が貫設されており、本体１０の上面１７が挿通開口１１の上部を開閉自在に閉塞する蓋状に形成されている。なお、本体１０の下面１８を挿通開口１１の下部を開閉自在に閉塞する蓋状に形成してももちろんよい。
【００３６】
また、図３（ｂ）に示すように、樹脂製の挿入突起１４の先端には、取付穴２０に挿入された挿入突起の抜けを阻止する矢尻状の阻止部１５が一体形成されている。また、同図（ｂ）に示すように、挿入突起１４には、挿入突起１４が取付穴２０に挿入された状態で取付穴２０周辺のシャーシ２に圧接されて挿入突起１４を本体１０とともに抜け方向に付勢する付勢部１６が一体形成されている。
【００３７】
したがって、挿入突起１４は阻止部１５と一体的に、図４（ａ）に示す挿入突起１４を取付穴２０に挿入する前の状態から挿入突起１４を取付穴２０に挿入する際に弾性変形して収縮する。そして、同図（ｂ）に示すように、挿入突起１４を取付穴２０に挿入完了後には、弾性変形して収縮した挿入突起１４が復元して阻止部１５が挿入突起１４の抜けを阻止すべく取付穴２０周辺のシャーシ２に係合する。また、このとき、付勢部１６が取付穴２０の周辺のシャーシ２に圧接されて挿入突起１４を本体１０とともに抜け方向に付勢することから、シャーシ２が阻止部１５と付勢部１６とで挟持された状態となるため、本体１０が安定してシャーシに２に固定される。このように、挿入突起１４、阻止部１５および付勢部１６により本発明の「固定手段」が構成されている。なお、本発明の「固定手段」としては上記した構成に限られず、シャーシ２に本体１０を取り付けて固定できる構成であればどのような構成でもあってもよい。
【００３８】
また、図３（ｂ）に示すように、蓋状に形成された本体１０の上面１７は、ヒンジ部１７ａを介して回動自在に形成され、ロック機構（本発明の「ロック手段」に相当）１９により挿通開口１１を閉塞状態に保持するように構成されている。また、ロック機構１９は、上面１７のヒンジ部１７ａに対向する位置に一体形成された係止部１９ａと、本体１０の周面に係止部１９ａと係脱自在に一体形成された被係止部１９ｂとを備えている。
【００３９】
また、図５（ａ）に示すように、係止部１９ａは弾性を有する樹脂製で略Ｖ字状に形成されており、被係止部１９ｂに挿入された状態でＶ字状の上部が広がろうとする弾性力により被係止部１９ｂに係止される。また、同図（ｂ）に示すように、係止部１９ａの操作部１９ａ１を摘んでＶ字状の上部を狭めることで、係止部１９ａと被係止部１９ｂとの係止状態が解除されて上面１７がヒンジ部１７ａを介して回動可能となり、挿通開口１１の上部を開放することができる。なお、本発明の「ロック手段」としては上記した構成に限られず、上面１７が挿通開口１１を確実に閉塞状態に保持できる構成であればどのような構成でもあってもよい。
【００４０】
また、図３（ｃ）に示すように、弾性を有する樹脂製の押え片１３の他端部には係止部１３ａが一体的に形成されている。そして、図３（ｂ）および図６に示すように、挿入突起１４が取付穴２０に挿入された状態におけるシャーシ２よりも上方位置において、係止部１３ａが係脱自在に被係止部１３ｂが本体１０の下面１８に一体形成されている。
【００４１】
したがって、図６（ａ）に示すように、線材固定具１がシャーシ２に取り付けられた状態でケーブルＣＡが本体１０に巻回された後、同図（ｂ）に示すように、本体１０に巻回されたケーブルＣＡを押え片１３で押えるようにして係止部１３ａを被係止部１３ｂに係止することでケーブルＣＡの本体１０への巻回状態を保持できる。このように、押え片１３、係止部１３ａおよび被係止部１３ｂにより本発明の「保持手段」が構成されている。
【００４２】
また、図２および図３（ｂ）に示すように、弾性を有する樹脂製の挿入突起１４には本体１０に巻回されたケーブルＣＡの余剰部分を引掛ける把持部１２が一体的に形成されている。なお、本実施形態では把持部１２を挿入突起１４に形成しているが、把持部１２を本体１０に設けてもよいことは言うまでもない。
【００４３】
つぎに、図１、図４〜図７を参照して、本実施形態の線材固定具１の使用方法の一例として、プリント基板３ａのコネクタ３１からプリント基板３ｂのコネクタ３２へケーブルＣＡを配線する場合を例に挙げて説明する。まず、図１および図４に示すように、線材固定具１の挿入突起１４をシャーシ２の複数箇所に形成された取付穴２０のいずれかに挿入することで線材固定具１をシャーシ２の任意の位置に取り付けて固定する。つぎに、ケーブルＣＡをプリント基板３ａに実装されたコネクタ３１と接続し、ケーブルＣＡの余剰部分を線材固定具１の本体１０に図７に例を挙げて示すように巻回する。
【００４４】
続いて、ケーブルＣＡを線材固定具１に巻回する態様について図７を参照して説明する。まず、図７（ａ）に示すように、ケーブルＣＡを本体１０に巻回することで、コネクタ３１からコネクタ３２までケーブルＣＡを配線するのに最適な長さにケーブルＣＡの長さの調節をすることができる。また、同図（ｂ）に示すように、ケーブルＣＡを一度、挿通開口１１に挿通してから、上記したようにケーブルＣＡが適当な長さとなるように本体１０にケーブルＣＡを巻回してもよい。このように、まず、ケーブルＣＡを挿通開口１１に挿通することで、巻回状態のケーブルＣＡがほどけにくくすることができる。
【００４５】
また、ケーブルＣＡの長さがコネクタ３１からコネクタ３２へ配線するのに丁度よい長さに調節された専用品である場合には、ケーブルＣＡを本体１０に巻回せずに、該ケーブルＣＡを挿通開口１１に挿通するのみでケーブルＣＡが所定の経路を通るようにしてもよい。また、ケーブルＣＡが束になっていたり、ケーブルＣＡに大型のコネクタが接続されて、ケーブルＣＡを挿通開口１１に挿通しづらい場合には、図５（ｂ）に示すように、ロック機構１９のロック状態を解除して挿通開口１１の上側を開放することで、当該ケーブルＣＡを挿通開口１１へ容易に挿通できる。なお、上記したようにケーブルＣＡを挿通開口１１に挿通しづらい場合でなくとも挿通開口１１を開放してケーブルＣＡを挿通開口１１に挿通してもよいことは言うまでもない。
【００４６】
そして、ケーブルＣＡを本体１０に巻回してケーブルＣＡの長さを調節した後、図６（ｂ）に示すように、押え片１３の係止部１３ａを被係止部１３ｂに係止して、本体１０に巻回された巻回状態のケーブルＣＡがほどけないように押え片１３でケーブルＣＡを押えることでケーブルＣＡの本体１０への巻回状態を保持する。さらに、ケーブルＣＡを本体１０に巻回して長さの調節を行った後、図７（ｃ）に示すように、ケーブルＣＡの余剰部分を把持部１２に引掛けることで、より確実にケーブルＣＡの本体１０への巻回状態を保持することができる。
【００４７】
最後に、図１に示すように、本体１０へ巻回して長さの調節をした後のケーブルＣＡをコネクタ３２に接続することで、ケーブルＣＡの配線作業が終了する。なお、ケーブルＣＡを最初にコネクタ３２に接続してから、配線作業を行ってもよいことは言うまでもない。
【００４８】
このように、上記した実施形態では、ケーブルＣＡが長くとも、電気機器内のシャーシ２の任意の位置に固定された本体１０にケーブルＣＡを巻回することでケーブルＣＡの長さを調節でき、そして、本体１０に巻回されたケーブルＣＡは押え片１３によって巻回状態に保持される。したがって、長さが調節された専用のケーブルＣＡでなくともケーブルＣＡにたるみを生じさせずに、電気機器内の所定の経路にケーブルＣＡを配線し固定でき、ハーネスクリップや結束バンド等を別途シャーシ２に取り付ける必要がないため、電気機器の組立作業の能率を低下させることがない。
【００４９】
また、ケーブルＣＡを本体１０に巻回してケーブルＣＡの長さを調節することで、シャーシ２の任意の位置に固定した線材固定具１によりケーブルＣＡを所定の経路に配線でき、電気機器ごとに専用の線材固定具１を設計する必要がないため非常に汎用性が高く、さらに、従来の構成に比べ非常にコンパクトな構成とすることができる。
【００５０】
また、弾性を有する樹脂製の本体１０の上面１７に回動自在に一体的に取着された押え片１３に形成された係止部１３ａと、本体１０の下面１８に一体的に形成された被係止部１３ｂとが係止して、押え片１３により本体１０に巻回された巻回状態のケーブルＣＡを押えることでケーブルＣＡの本体１０への巻回状態を確実に保持できる。
【００５１】
また、樹脂製の本体１０に一体的に突設された弾性を有する挿入突起１４がシャーシ２に形成された取付穴２０に挿入された状態で、付勢部１６が挿入状態の挿入突起１４を本体１０とともに抜け方向に付勢しつつ挿入突起１４の抜けが挿入突起１４に矢尻状に一体形成された阻止部１５により阻止されているため、本体１０を確実に取付穴２０に固定できるとともに、本体１０のシャーシ２への取付状態を安定させることができる。
【００５２】
また、ケーブルＣＡの挿通用の挿通開口１１が本体の周面に貫設され、本体１０の上面１７がヒンジ部１７ａを介して挿通開口１１の上部を開閉自在に回動し、ロック機構１９により閉塞状態に保持されるように蓋状に形成されているため、挿通開口１１の上部を開放することで、ケーブルＣＡが束になっていたり、ケーブルＣＡに大型のコネクタが接続されていても、ケーブルＣＡを挿通開口１１へ容易に挿通でき、電気機器内におけるケーブルＣＡの配線作業の作業性の向上を図ることができる。
【００５３】
また、一度、挿通開口１１にケーブルＣＡを挿通した後にケーブルＣＡを本体１０に巻回することで、巻回状態のケーブルＣＡがほどけるのを効果的に防止できる。また、長さが調節された専用のケーブルＣＡを用いる場合には、ケーブルＣＡを本体に巻回せず、挿通開口にケーブルＣＡを挿通することでケーブルＣＡが所定の経路を通るようにして線材固定具１を使用することもでき、より汎用性を高めることができる。
【００５４】
また、本体１１に巻回されたケーブルＣＡの余剰部分を把持部１２に引掛けることができるため、より確実にケーブルＣＡの本体１０への巻回状態を保持できる。
【００５５】
また、本発明は上述した実施形態に限定されるものではなく、その趣旨を逸脱しない限りにおいて上述したもの以外に種々の変更を行うことが可能であり、例えば、本体１０は円柱状に限られず角柱状であってもよく、要は、ケーブルＣＡが巻回可能な形状であればよい。また、挿通開口１１は必ずしも貫設されていなくても構わない。また、挿通開口１１の形状は上記した形状に限られず、円形または楕円形等、どのような形状であってもよい。
【００５６】
また、ケーブルＣＡとしては単線、より線、フラットケーブル、ツイストペアケーブル、フレキシブルケーブル等、種々のケーブルＣＡを用いることができる。また、線材固定具１の数は１個に限られず、ケーブルＣＡを所定の経路を通るように配線するために必要な数を何個でも使用することができる。また、プリント基板３ａ，３ｂ間のみの配線だけではなく、電源や端子台等、種々の電子部品間をケーブルＣＡにより配線するのに上記した線材固定具１を使用することができる。
【００５７】
また、上記した実施形態では、線材固定具１を樹脂形成により一体的に形成しているが、線材固定具１は必ずしも一体的に形成されていなくともよい。また、付勢部１６は本体１０に設けられていてもよい。また、押え片１３を本体１０の下面１８に、押え片１３の係止部１３ａが係止する被係止部１３ｂを本体１０の上面１７に設けてもよいことは言うまでもない。また、押え片１３の係止部１３ａを被係止部１３ｂに係止することで、押え片１３が本体１０に巻回されたケーブルＣＡを押えることとなりケーブルＣＡの本体１０への巻回状態を保持できれば、押え片１３および被係止部１３ｂは本体１０のどこに設けてもよい。また、係止部１３ａおよび被係止部１３ｂの構成についても上記した構成に限られず、係止部１３ａおよび被係止部１３ｂが係脱自在に係止可能であればどのような構成であってもよいことは言うまでもない。
【図面の簡単な説明】
【００５８】
【図１】本発明に係る線材固定具がシャーシに取り付けられた状態の一例を示す斜視図である。
【図２】本発明に係る線材固定具を示す斜視図である。
【図３】本発明に係る線材固定具を示す図である。
【図４】本発明に係る線材固定具をシャーシに取り付ける方法を示す図である。
【図５】本発明に係る線材固定具の使用方法の一例を示す図である。
【図６】本発明に係る線材固定具の使用方法の一例を示す図である。
【図７】本発明に係るに線材固定具に線材が巻回された状態を示す斜視図である。
【符号の説明】
【００５９】
１  線材固定具
１０  本体
１１  挿通開口
１２  把持部
１３  押え片
１３ａ  係止部
１３ｂ  被係止部
１４  挿入突起
１５  阻止部
１６  付勢部
１７  上面
１８  下面
１９  ロック機構（ロック手段）
２  シャーシ
２０  取付穴
ＣＡ  ケーブル（線材）
【図１】
2008245459.tif 000003
【図２】
2008245459.tif 000004
【図３】
2008245459.tif 000005
【図４】
2008245459.tif 000006
【図５】
2008245459.tif 000007
【図６】
2008245459.tif 000008
【図７】
2008245459.tif 000009